(57)【要約】【課題】撮影される人たちの注意を喚起することができる電子機器及びカメラを提供する。【解決手段】ＣＰＵは、撮像部により順次取り込まれてメイン液晶表示器に表示されている複数の被写体Ｍの画像から被写体Ｍの顔Ｆを検出する。その後、ＣＰＵは、複数の被写体Ｍの顔Ｆの中に笑っていない顔Ｆがあるか否かを検出し、被写体Ｍの顔Ｆの中に笑っていない顔があるとき、その顔Ｆの画像をプロジェクタモジュールによって投射面３００に拡大投射する。【選択図】図２
2012039343.tif 000002
【特許請求の範囲】
【請求項１】
プロジェクタと、
被写体像を取得する撮像手段と、
前記被写体像の中から被写体の顔を検出する顔検出手段と、
前記被写体の顔の状態が所定の状態であるか否かを判断する判断手段と、
前記判断手段により前記被写体の顔の状態が前記所定の状態でないと判断されたとき、前記プロジェクタによって前記所定の状態でないと判断された被写体の顔の画像を前記撮像手段が撮像する方向とは異なる方向に拡大投射させる投射制御手段と
を備えていることを特徴とする電子機器。
【請求項２】
前記投射制御手段は、前記判断手段が所定の状態でないと判断した前記被写体の顔が複数あるとき、複数の前記所定の状態でないと判断された被写体の顔の画像を異なる位置に同時に拡大投射させることを特徴とする請求項１記載の電子機器。
【請求項３】
前記投射制御手段は、前記判断手段が所定の状態でないと判断した前記被写体の顔が複数あるとき、複数の前記判断手段が所定の状態でないと判断した前記被写体の顔の画像を１つずつ順に拡大投射させることを特徴とする請求項１記載の電子機器。
【請求項４】
前記投射制御手段は、前記判断手段が所定の状態でないと判断した前記被写体の顔が複数あるとき、複数の前記所定の状態でないと判断された被写体の顔の画像を、複数のグループに分け、前記グループ毎に順に拡大投射させることを特徴とする請求項１記載の電子機器。
【請求項５】
前記判断手段が所定の状態でないと判断した前記被写体の顔の加工処理を施す画像加工処理手段を備えていることを特徴とする請求項１〜４のいずれか１項記載の電子機器。
【請求項６】
前記判断手段は、前記顔検出手段で検出された被写体の顔の所定の表情の度合いを計測して前記所定の表情の度合いが所定値より低いか否かを判断し、前記投射制御手段は、前記判断手段により前記所定の表情の度合いが前記所定値よりも低いと判断された前記被写体の顔の画像を前記撮像手段が撮像する方向とは異なる方向に拡大投射させることを特徴とする請求項１記載の電子機器。
【請求項７】
前記撮像手段はオート撮影機能を有し、前記判断手段からの信号に応じて撮像を行うことを特徴とする請求項１〜６のいずれか１項記載の電子機器。
【発明の詳細な説明】
【技術分野】
【０００１】
この発明は電子機器及びカメラに関する。
【背景技術】
【０００２】
従来、プロジェクタモジュールによる投射光束の向きがプロジェクタ付き電子カメラが撮影する向きと反対側にセットされ、スルー画像の鏡像をスクリーンに投射するプロジェクタ付き電子カメラが知られている（下記公報参照）。このプロジェクタ付き電子カメラによれば、例えば椅子の座板にプロジェクタ付き電子カメラを載置し、撮影者をセルフタイマーを利用して撮影する場合、椅子の背板に投影された画像（スルー画像と同じ画像）を被写体である撮影者が見ることができる。
【先行技術文献】
【特許文献】
【０００３】
【特許文献１】特開２００６−８０８７５号公報
【発明の開示】
【発明が解決しようとする課題】
【０００４】
上記プロジェクタ付き電子カメラを用いて例えば記念撮影を行う場合、被写体の全員が笑顔である写真を撮りたいが、被写体の中には笑っていない人が含まれることがある。そのため、笑っていない人の注意を喚起し、笑顔になるよう促す必要がある。
【０００５】
この発明はこのような事情に鑑みてなされたもので、その課題は撮影される人たちの注意を喚起することができる電子機器及びカメラを提供することである。
【課題を解決するための手段】
【０００６】
上記課題を解決するため請求項１記載の電子機器は、プロジェクタと、被写体像を取得する撮像手段と、前記被写体像の中から被写体の顔を検出する顔検出手段と、前記被写体の顔の状態が所定の状態であるか否かを判断する判断手段と、前記判断手段により前記被写体の顔の状態が前記所定の状態でないと判断されたとき、前記プロジェクタによって前記所定の状態でないと判断された被写体の顔の画像を前期撮像手段が撮像する方向とは異なる方向に拡大投射させる投射制御手段とを備えていることを特徴とする。
【０００７】
請求項２に記載の発明は、請求項１記載の電子機器において、前記投射制御手段は、前記判断手段が所定の状態でないと判断した前記被写体の顔が複数あるとき、複数の前記所定の状態でないと判断された被写体の顔の画像を異なる位置に同時に拡大投射させることを特徴とする。
【０００８】
請求項３に記載の発明は、請求項１記載の電子機器において、前記投射制御手段は、前記判断手段が所定の状態でないと判断した前記被写体の顔が複数あるとき、複数の前記判断手段が所定の状態でないと判断した前記被写体の顔の画像を１つずつ順に拡大投射させることを特徴とする。
【０００９】
請求項４に記載の発明は、請求項１記載の電子機器において、前記投射制御手段は、前記判断手段が所定の状態でないと判断した前記被写体の顔が複数あるとき、複数の前記所定の状態でないと判断された被写体の顔の画像を、複数のグループに分け、前記グループ毎に順に拡大投射させることを特徴とする。
【００１０】
請求項５に記載の発明は、請求項１〜４のいずれか１項記載の電子機器において、前記判断手段が所定の状態でないと判断した前記被写体の顔の加工処理を施す画像加工処理手段を備えていることを特徴とする。
【００１１】
請求項６に記載の発明は、請求項１〜５のいずれか１項記載の電子機器において、前記判断手段は、前記顔検出手段で検出された被写体の顔の所定の表情の度合いを計測して前記所定の表情の度合いが所定値より低いか否かを判断し、前記投射制御手段は、前記判断手段により前記所定の表情の度合いが前記所定値よりも低いと判断された前記被写体の顔の画像を前記撮像手段が撮像する方向とは異なる方向に拡大投射させることを特徴とする。
【００１２】
請求項７に記載の発明は、請求項１〜６のいずれか１項記載の電子機器において、前記撮像手段はオート撮影機能を有し、前記判断手段からの信号に応じて撮像を行うことを特徴とする。
【発明の効果】
【００１３】
この発明によれば、撮影される人たちの注意を喚起することができる。
【図面の簡単な説明】
【００１４】
【図１】図１はこの発明の一実施形態に係るカメラのブロック図である。
【図２】図２は複数の笑っていない顔の画像を投射面の異なる位置に同時に拡大投射した状態を示す図である。
【図３】図３は複数の笑っていない顔の画像を１つずつ順に投射面に拡大投射した状態を示す図である。
【図４】図４は複数の撮影に不向きな顔の画像を投射面の異なる位置に同時に拡大投射した状態を示す図である。
【発明を実施するための形態】
【００１５】
以下、この発明の実施の形態を図面に基づいて説明する。
【００１６】
図１はこの発明の一実施形態に係るカメラ５０のブロック図である。
【００１７】
カメラ（電子機器）５０は、被写体像を取得する撮像部（撮像手段）２００と、画像を例えばスクリーンや壁等の投射面３００（図２参照）に投射するプロジェクタモジュール（プロジェクタ）６と、カメラ５０の動作を制御するＣＰＵ１０１と、ＣＰＵ１０１の作業用メモリとして使用されるメモリ１０２と、姿勢センサ１０３と、外部インタフェース（外部Ｉ／Ｆ）１０８と、カメラ５０内の各部に電力を供給する電源１０９と、操作部材１１２と、音声信号を再生するスピーカ１１３と、メイン液晶表示器１１５と、音声を集音するマイク１０７と、メモリカード１０５とを備えている。
【００１８】
ＣＰＵ１０１は、制御プログラムに基づいて、カメラ５０を構成する各部から入力される信号を用いて所定の演算等を行い、カメラ５０の各部に対する制御信号を出力することにより撮像部２００の動作及びプロジェクタモジュール６の動作をそれぞれ制御する。なお、制御プログラムはＣＰＵ１０１内の不図示の不揮発性メモリに格納されている。
【００１９】
ＣＰＵ１０１は、前記被写体像の中から被写体Ｍの顔Ｆを検出する顔検出手段、被写体Ｍの顔Ｆの状態が所定の状態であるか否かを判断する判断手段、及びプロジェクタによって画像を拡大投射させる投射制御手段として機能する。また、ＣＰＵ１０１は、画像加工処理手段として機能する。
【００２０】
本願では、顔検出手段及び顔Ｆのパターン認識技術は公知のものを使用する。ＣＰＵ１０１の顔検出部（不図示）は、撮像部２００が取得するスルー画像から被写体Ｍの顔Ｆ（図２参照）を検出する。顔検出部は、被写体Ｍの顔Ｆの特徴点を検出して、それら特徴点により形成されるパターンを認識することで、顔Ｆを検出する。
【００２１】
ＣＰＵ１０１の判断部（不図示）は、顔認識部が検出した顔Ｆが所定の状態であるか否かを判断する。ＣＰＵ１０１の判断部には、判断の基準となる所定の状態の顔Ｆのパターンが予め登録されている。判断部は、その登録された顔Ｆのパターンと、顔検出部で検出された顔Ｆのパターン認識結果とを比較して、その差分や類似度を計測し、被写体Ｍの顔Ｆの状態が所定の状態であるか否かを判断する。
【００２２】
また、ＣＰＵ１０１の判断部（不図示）は、顔認識部が検出した顔Ｆが所定の状態であるか否かを判断するために、ＣＰＵ１０１の判断部は、顔検出部で検出された顔Ｆについて、所定の表情に関してその表情の度合いの値を計測する。ＣＰＵ１０１の判断部には判断の基準となる所定の表情の度合いの値が登録されている。ＣＰＵ１０１の判断部は、計測された所定の表情の度合いの値と、登録された所定の表情の度合いの値とを比較して、計測値が判断の基準となる所定値以下であるとき、被写体Ｍの顔Ｆの状態が所定の状態あるか否かを判断する。
【００２３】
ＣＰＵ１０１の投射制御部（不図示）は、ＣＰＵ１０１の判断部より被写体Ｍの顔Ｆの状態が所定の状態でないと判断されたとき、所定の状態でないと判断された顔Ｆの画像をプロジェクタモジュール６によって投射面３００に拡大投射させる。プロジェクタモジュール６は、撮像される被写体Ｍが投射画像を観察可能なよう、撮像部２００の撮影レンズが撮影する方向とは異なる方向に、拡大投射する。
【００２４】
撮像部２００により取得されるスルー画像に複数の被写体Ｍが含まれる場合、ＣＰＵ１０１の顔検出部は複数の顔Ｆを検出する。ＣＰＵ１０１の判断部は、検出部で検出された複数の顔Ｆのそれぞれについてパターン認識を行う。次にパターン認識された複数の顔Ｆのパターンと、登録された顔Ｆのパターンと比較して、その差分や類似度を計測し、被写体Ｍの顔Ｆの状態が所定の状態であるか否かを判断する。
【００２５】
ＣＰＵ１０１の投射制御部は、ＣＰＵ１０１の判断部により複数の被写体Ｍの顔Ｆの状態が所定の状態でないと判断されたとき、それらの複数の被写体Ｍの顔Ｆの画像をそれぞれ投射面３００上の異なる位置に同時に拡大投射させる。
【００２６】
顔モード選択部１２０は、ＣＰＵ１０１の判断部に登録されている、判断の基準となる所定の状態の顔パターンの切り換えを行う。顔モード選択部１２０は、ユーザの選択に応じて、判断部での判断の基準となる所定の状態の顔パターンの切り替えを行う。顔パターンは、（１）笑顔モード、（２）まじめ顔モード、（３）顔欠け・横向き検出モード、（４）平均モードのうちから選択可能である。例えば、ユーザが（１）笑顔（（２）まじめ顔）モードを選択した場合には、ユーザは更に不図示の入力部から閾値となる笑顔（まじめ顔）の度合いを数値で入力し、ＣＰＵ１０１の判断部は、ＣＰＵ１０１の顔検出部で検出された顔Ｆの笑顔の度合いを計測し、設定された笑顔の度合いに基づいて、検出された顔Ｆの笑顔（まじめ顔）の度合いが閾値以上であるか、以下であるかの判断を行い、閾値以下であるときに検出された顔Ｆが所定の状態でないと判断する。ユーザにより（３）顔欠け・横向き検出モードが選択された場合には、ＣＰＵ１０１の判断部は、ＣＰＵ１０１の顔検出部で検出された顔Ｆの輪郭の欠けや顔Ｆの向きを判断して、輪郭の欠けや顔Ｆの向きが横向きであると判断された場合に、検出された顔Ｆが所定の状態でないと判断する。（４）平均モードは、撮像部２００により取得されるスルー画像に複数の被写体Ｍが含まれる場合に使用可能なモードである。ユーザにより（４）平均モードが選択された場合に、ＣＰＵ１０１の判断部は、ＣＰＵ１０１の顔検出部によりスルー画像から検出された複数の顔Ｆについて全て顔Ｆの表情をパターン化する。そしてパターン化した顔データのうち類似度が所定値以上でかつ最も出現度数の大きいパターンを基準パターンとし、その基準パターンとの類似度が小さい顔Ｆが検出された場合に、その顔Ｆが所定の状態でないと判断する。
【００２７】
（３）顔欠け・横向き検出モードは、その他の（１）、（２）、（４）のモードとの同時選択が可能であり、他のモードと同時に選択された場合には、表情の度合いや類似度とともに顔欠けが検出可能である。
【００２８】
投射モード選択部１２１は、ＣＰＵ１０１の判断部により複数の被写体Ｍの顔Ｆの状態が所定の状態でないと判断されたとき、ＣＰＵ１０１の投射制御部がプロジェクタモジュール６で投射させる投射モードの切り換えを行う。投射モード選択部１２１は、プロジェクタモジュール６で投射される投射モードを、ユーザが選択したモードに切り換える。投射モード選択部１２１によって次の（１）〜（４）の投射モードのうちの１つに切り替え可能である。
（１）複数の被写体Ｍの顔Ｆの画像をそれぞれ投射面３００上の異なる位置に同時に拡大投射させる。
（２）複数の被写体Ｍの顔Ｆの画像をスライドショー形式で順に拡大投射させる。
（３）判断部で計測された登録された顔パターンとの差分や類似度の値に基づき複数の被写体Ｍの顔Ｆの画像を、類似度の小さい順に１つずつ順に拡大投射する。
（４）判断部で計測された登録された顔パターンとの違い方のパターンに基づき複数の被写体Ｍの顔Ｆの画像を、違い方のパターンごとに複数のグループに分け、グループ毎に順に拡大投影される。（４）のモードでは、所定の状態でないと判断された複数の顔Ｆを、表情のパターンが類似する複数のグループ（例えば、目をつぶっているグループ、笑顔度の度合いが低いグループ、顔欠けのグループ、横向きのグループ等）に分けて表示する。この場合においては、同じグループの複数の顔画像Ｆは投射面３００上の異なる位置に同時に拡大投射させる。
【００２９】
姿勢センサ１０３はカメラ５０の姿勢を検出し、検出信号をＣＰＵ１０１へ出力する。これによりＣＰＵ１０１は撮影時に画像の天地情報を取得する。
【００３０】
メモリカード１０５はフラッシュメモリなどの不揮発性メモリによって構成され、ＣＰＵ１０１の指令によりデータの書き込み、保存及び読み出しが可能である。
【００３１】
マイク１０７は、集音した音声を電気信号に変換してＣＰＵ１０１へ出力する。音声信号は録音時にメモリカード１０５に記録される。
【００３２】
外部インタフェース１０８は、ＣＰＵ１０１の指令により不図示のケーブル又はクレードルを介して外部機器との間でデータを送受信する。
【００３３】
操作部材１１２は、シャッタボタン（図示せず）、メニュー画面の表示を指示するメニューボタン（図示せず）、メイン液晶表示器１１５に表示されたメニュー画面の項目の選択等を行うセレクタボタン（図示せず）等を有し、操作されたボタンに対応する操作信号をＣＰＵ１０１へ出力する。
【００３４】
電源１０９は、例えば着脱可能ないわゆる電池パック及びＤＣ／ＤＣ変換回路等で構成される。
【００３５】
メイン液晶表示器１１５は、ＣＰＵ１０１の指令により色々な表情の面白い顔Ｆの表情を選択するための複数のメニュー項目やスルー画像等の情報を表示する。
【００３６】
撮像部２００は、撮影レンズ５１と、イメージセンサ（ＣＣＤ）２０１と、レンズ駆動部２０２と、撮像部制御ＣＰＵ２０３とを有する。イメージセンサ２０１はＣＭＯＳで構成してもよい。撮像部制御ＣＰＵ２０３は、ＣＰＵ１０１の指令によりイメージセンサ２０１及びレンズ駆動部２０２の駆動を制御する。レンズ駆動部２０２は、撮像部制御ＣＰＵ２０３からズーム制御信号を受けると、その制御信号に応じて撮影レンズ５１を構成するズームレンズ（図示せず）をテレ側又はワイド側へ駆動する。撮影レンズ５１はイメージセンサ２０１の撮像面上に被写体像を結像させる。撮像部制御ＣＰＵ２０３はイメージセンサ２０１に撮像を開始させ、撮像終了後にイメージセンサ２０１から蓄積電荷信号を読み出し、所定の信号処理を施した上で画像データとしてＣＰＵ１０１へ出力する。
【００３７】
なお、撮影画像を投射する場合には撮像部制御ＣＰＵ２０３からＣＰＵ１０１を経由してプロジェクタモジュール６へ画像データが出力される。ＣＰＵ１０１では、プロジェクタモジュール６で投射される画像データに対して台形歪み補正処理が施される。ＣＰＵ１０１に入力された画像データはメモリカード１０５に記録可能である。また、メモリカード１０５に記録された画像データ及び音声データは、各々プロジェクタモジュール６、メイン液晶表示器１１５及びスピーカ１１３で再生可能である。
【００３８】
プロジェクタモジュール６は、投影レンズ６１と、液晶パネル６２と、ＬＥＤ光源６３と、ＬＥＤ駆動部６４と、液晶駆動部６５と、レンズ駆動部６６とを有する。ＬＥＤ駆動部６４は、ＣＰＵ１０１から出力されるＬＥＤ駆動信号に応じてＬＥＤ光源６３に電力を供給する。ＬＥＤ光源６３は、供給電力に応じた明るさで液晶パネル６２を照明する。
【００３９】
液晶駆動部６５は、画像データに応じて液晶パネル駆動信号を生成し、生成した駆動信号で液晶パネル６２を駆動する。
【００４０】
レンズ駆動部６６は、ＣＰＵ１０１から出力される制御信号に基づいて、投影レンズ６１を光軸に対して直交する方向へ駆動する。投影レンズ６１は、液晶パネル６２から射出される光像を投射面３００へ向けて投射する。
【００４１】
撮像部制御ＣＰＵ２０３は、ＣＰＵ１０１の判断部が、撮像部２００で取得されたスルー画像の被写体Ｍの顔Ｆが全て所定の状態であると判断したタイミングで、ＣＰＵ１０１の判断部から撮影を許可する信号を受信する。ＣＰＵ１０１の判断部から撮影を許可する信号を受信した撮像部制御ＣＰＵ２０３はイメージセンサ２０１に撮像を開始させ、撮像終了後にイメージセンサ２０１から蓄積電荷信号を読み出して、所定の信号処理を施した上で画像データとしてＣＰＵ１０１へ出力する。
【００４２】
次に、カメラ５０を用いて記念撮影を行う場合を説明する。
【００４３】
図２は複数の笑っていない顔の画像を投射面の異なる位置に同時に拡大投射した状態を示す図、図３は笑顔度の低い顔の画像を１つずつ順に投射面に拡大投射した状態を示す図、図４は複数の撮影に不向きな顔の画像を投射面の異なる位置に同時に拡大投射した状態を示す図である。
【実施形態１】
【００４４】
本実施形態では、ユーザにより、カメラ５０本体又はリモコンの操作パネル（不図示）により顔モード選択部１２０から（１）笑顔モードが選択されるとともに、カメラ５０本体又はリモコンの操作パネル（不図示）により投射モード選択部から（１）複数の被写体Ｍの顔Ｆの画像をそれぞれ投射面３００上の異なる位置に同時に拡大投射させるモードが選択されている場合について説明する。
【００４５】
ＣＰＵ１０１の顔検出部は、撮像部２００により順次取り込まれてメイン液晶表示器１１５に表示されているスルー画像から複数の被写体Ｍの全ての顔Ｆを検出する。ここで、被写体Ｍの顔Ｆが他の被写体Ｍに被さり完全に隠れている場合は検出できないが、顔Ｆの一部が見えている場合は、顔検出手段での検出が可能である。
【００４６】
本実施形態のＣＰＵ１０１の判断部には、判断の基準となる笑顔の顔Ｆのパターンが予め登録されている。判断部は、その登録された顔Ｆのパターンと、顔検出部で検出された顔Ｆのパターン認識結果とを比較して、類似度を計測し、類似度の値が所定の値以上であるか否かを判断して、類似度が所定の値以下であるときに、被写体Ｍの顔Ｆの状態が笑顔でないと判断する。
【００４７】
ＣＰＵ１０１の投射制御部は、スルー画像から、笑顔でない（所定の状態でない）と判断された顔Ｆの画像を抽出して、笑顔でない（所定の状態でない）顔Ｆの拡大画像を、プロジェクタモジュール６の投影レンズ６１から、撮像部２００が撮像する方向とは異なる方向の投射面３００に拡大投射させる。
【００４８】
笑顔でない（所定の状態でない）と判断された顔Ｆの画像が複数あるとき、ＣＰＵ１０１の投射制御部は、複数の笑顔でない（所定の状態でない）と判断された顔Ｆの画像を投射面３００上の異なる位置に複数同時に拡大投射させる。図２は、複数の被写体Ｍのうち４つの顔Ｆが、複数の笑顔でない（所定の状態でない）と判断された場合を示す。
【００４９】
撮影部２００で取得されたスルー画像からの顔検出、検出された顔Ｆが笑顔（所定の状態）であるかの判断、スルー画像から所定の状態でない顔Ｆを抽出して、複数の笑顔でない（所定の状態でない）顔Ｆの拡大画像をプロジェクタモジュール６で拡大投射する一連のフローは、所定の信号処理時間を経て繰り返し行われる。図２の投射面３００には、撮像部２００で取得されたスルー画像からのリアルタイムの拡大画像が投射される。また、前述のように、プロジェクタモジュール６の投影レンズは、顔Ｆの拡大画像を、撮像部２００が撮像する方向とは異なる方向に拡大投射する。したがって、笑顔（所定の状態）でないと判断され、顔Ｆの拡大画像を投射された被写体Ｍは、リアルタイムで拡大表示される顔Ｆの画像を見ながら表情を正すことができる。
【００５０】
また、本実施形態では、ユーザがカメラ５０の本体又はリモコンの操作パネル（不図示）から、拡大投射される顔Ｆの画像に短時間に加工処理を施す画像処理を施すよう指示することができる。画像処理モードは複数用意され、ユーザは画像処理モードを操作パネルから選択して実行できる。このとき、ＣＰＵ１０１の指令によりプロジェクタモジュール６の液晶表示器１１５は、拡大投射される顔Ｆの画像にユーザが選択した画像処理モードの画像処理を施す。画像処理モードは例えば、明暗の反転アニメーション、縦横比に変化をつけるアニメーション等である。被写体Ｍはこのような画像処理された画像を見て、自ずと笑顔となり、撮影の場に楽しい雰囲気を演出することができる。
【００５１】
被写体Ｍが投射画像を見ながら表情を正し、ＣＰＵ１０１の判断部によって複数の被写体Ｍの全ての顔Ｆが笑顔（所定の状態）であると検出されたタイミングで、ＣＰＵ１０１の判断部は、撮像部２００の撮像部制御ＣＰＵ２０３に撮影を許可する信号を送る。ＣＰＵ１０１の判断部から撮影を許可する信号を受信した撮像部制御ＣＰＵ２０３は、イメージセンサ２０１に撮像を開始させ、撮像終了後にイメージセンサ２０１から蓄積電荷信号を読み出して、所定の信号処理を施した上で画像データとしてＣＰＵ１０１へ出力する。
【００５２】
ＣＰＵ１０１へ出力された画像データは、メモリカード１０５に格納される。なお、ＣＰＵ１０１の判断部によって複数の被写体Ｍの全ての顔Ｆが笑顔（所定の状態）であると検出されたときには、プロジェクタモジュール６は拡大画像の投射を中止するとともに、ＬＥＤ駆動体６４は、ＬＥＤ光源６３への電力供給を停止する。
【００５３】
このように、本実施形態によれば、被写体Ｍが観察できる方向に、所定の表情でないと判断された被写体Ｍの顔Ｆの画像が拡大投射されるので、所定の表情でない被写体Ｍに対して注意を喚起することができる。また、複数の被写体Ｍが、被写体Ｍの表示された拡大画像を見ながら同時に表情を正すことができるので、複数の被写体Ｍが同時に短時間に表情をそろえることができる。
【００５４】
また、判断部により被写体Ｍの顔Ｆが全て所定の状態となったタイミングに、撮像部２００により被写体Ｍを自動撮像するので、複数の被写体Ｍの全員が表情をそろえた画像を撮影することができる。
【００５５】
また、本実施形態では、被写体Ｍの顔Ｆが所定の状態にないと判断されたときのみプロジェクタモジュール６による投射が行われ、それ以外の場合にはプロジェクタモジュール６から投射は行われないので、カメラ５０の省電力化を図ることができる。
【００５６】
本実施形態では、被写体Ｍが複数の場合を説明したが、被写体Ｍが一人であっても、本発明の効果を享受することができるのはいうまでもない。
【実施形態２】
【００５７】
第２の実施形態の構成は、実施形態１の構成と略同一であるが、ユーザにより、カメラ５０本体又はリモコンの操作パネル（不図示）により笑顔の度合いの閾値を設定することができる。本実施例では、ユーザにより、カメラ５０本体又はリモコンの操作パネル（不図示）により顔モード選択部１２０から（１）笑顔モードが選択され、同時に閾値となる笑顔度１，２，３（１＜２＜３）のうち笑顔度“２”が入力されている。また、カメラ５０本体又はリモコンの操作パネル（不図示）により投射モード選択部から（２）複数の被写体Ｍの顔Ｆの画像をスライドショー形式で順に拡大投射させるモードが選択されている。
【００５８】
ＣＰＵ１０１の判断部は顔検出部で検出された全ての顔Ｆの笑顔の度合いを計測する。ＣＰＵ１０１の判断部は、数値化された笑顔の度合いが設定値の“２”以下であるものを、所定の状態でないと判断する。ＣＰＵ１０１の投射制御部は、笑顔の度合いが設定値“２”以下（所定の状態でない）と判断された顔Ｆの画像を抽出して、顔Ｆの拡大画像を、プロジェクタモジュール６の投影レンズ６１から投射面３００に拡大投射する。
【００５９】
図３は、複数の被写体Ｍのうち４つの顔Ｆが、所定の状態でないと判断された場合である。図３中の投射画像の右下の表示１/４→２/４→３/４→４/４の順に顔Ｆの画像が経時で切り替わる。
【００６０】
撮像部２００で取得されたスルー画像からの顔検出、検出された顔Ｆが所定の状態であるかの判断、スルー画像から所定の状態でない顔Ｆを抽出して、所定の状態でない顔Ｆの拡大画像をプロジェクタモジュール６で拡大投射する一連のフローは、所定の信号処理時間を経て繰り返し行われる。図３で拡大投射されている画像は、撮像部２００で取得されたスルー画像からのリアルタイムの拡大投射像である。プロジェクタモジュール６の投影レンズは、顔Ｆの拡大画像を、撮像部２００が撮像する方向とは異なる方向に拡大投射する。したがって、笑顔の度合いが所定値以下である（所定の状態でない）と判断され、顔Ｆの拡大画像を投射された被写体Ｍは、拡大画像が投射されたタイミングで、顔Ｆの拡大画像を見ながら表情を正すことができる。このように、本実施形態によれば、被写体Ｍが観察できる方向に、所定の表情でないと判断された被写体Ｍの顔Ｆの画像が拡大投射されるので、所定の表情でない被写体Ｍに対して注意を喚起することができる。また、その結果、被写体Ｍが表示された拡大画像を見ながらリアルタイムで表情を正すことができるので、複数の被写体Ｍが表情をそろえた画像を撮影することができる。更に、本実施形態では、顔Ｆを１つずつ拡大画像を投射するので、顔Ｆの表情を大きく投射でき、被写体Ｍは大きな画像を見ながら、リアルタイムで顔Ｆを正すことができる。その結果、複数の被写体Ｍの全員が表情をそろえた画像を撮影することができる。
【００６１】
被写体Ｍが投射画像を見ながら表情を正し、ＣＰＵ１０１の判断部によって複数の被写体Ｍの全ての顔Ｆが笑顔（所定の状態）であると検出されたタイミングにおける、ＣＰＵ１０１及び撮像部２００の動作は実施形態１と同様であり、その結果得られる効果も同様である。
【００６２】
なお、本実施形態では、判断部は、笑顔の度合いが２以上の顔を所定の顔Ｆの状態と判断したが、笑顔の度合いが３以上であるものを所定の顔Ｆの状態でないと判断してもよく、判断のための値の設定や判断方法は実施形態にとらわれない。
【実施形態３】
【００６３】
本実施形態は、実施形態１の構成とほぼ同一であり、ＣＰＵ１０１の判断部と投射制御部の動作のみが異なる。本実施形態では、ユーザにより、カメラ５０本体又はリモコンの操作パネル（不図示）により顔モード選択部１２０から（１）笑顔モードと（３）顔欠け・横向き検出モードとが同時に選択されている。
【００６４】
本実施形態のＣＰＵ１０１の判断部の基本的な動作は実施形態１と同一であるが、本発明では加えて（３）顔欠け・横向き検出モードが選択されているので、判断部は、顔検出部で検出された被写体Ｍの顔Ｆについて、笑顔であるか否かを判断する判断機能の他に、顔欠けと横向きとを判断する。判断部にて、被写体Ｍの顔Ｆに顔欠け又は横向きがあるとき又は、笑顔でないと判断されたときに、被写体Ｍの顔Ｆが所定の状態でないと判断する。
【００６５】
ＣＰＵ１０１の投射制御部は、スルー画像から、笑顔でない、又は顔欠けがある、又は横向きである（所定の状態でない）と判断された顔Ｆの画像を抽出して、又は顔欠けがある、又は横向きである（所定の状態でない）顔Ｆの拡大画像を、プロジェクタモジュール６の投影レンズ６１から、撮像部２００が撮像する方向とは異なる方向の投射面３００に拡大投射させる。
【００６６】
笑顔でない、又は顔欠けがある、又は横向きである（所定の状態でない）と判断された顔Ｆの画像が複数あるとき、ＣＰＵ１０１の投射制御部は、笑顔でない、又は顔欠けがある、又は横向きである（所定の状態でない）と判断された顔Ｆの画像を投射面３００上の異なる位置に複数同時に拡大投射させる。図４は、複数の被写体Ｍのうち４つの顔Ｆが、所定の状態でないと判断された場合を示す。図４において、同時に複数投射された顔Ｆの拡大画像のうち、右上と左下は横向きと判断された顔Ｆの拡大画像、右下は顔欠けがあると判断された顔Ｆの拡大画像、左上は笑顔でないと判断された顔Ｆの拡大画像である。
【００６７】
なお、本実施形態において、笑顔でない、又は顔欠けがある、又は横向きである顔Ｆがそれぞれ複数ずつ存在する場合には、ＣＰＵ１０１の判断部は、抽出された顔画像を、所定の状態との違い方ごとに、笑顔でないグループ、顔欠けがあるグループ、横向きであるグループに分類し、ＣＰＵ１０１の投射制御部はグループ毎に順に拡大投射させることができる。
【００６８】
撮像部２００で取得されたスルー画像からの顔検出、検出された顔Ｆが所定の状態であるかの判断、スルー画像から所定の状態でない顔Ｆを抽出して、所定の状態でない顔Ｆの拡大画像をプロジェクタモジュール６で拡大投射する一連のフローは、所定の信号処理時間を経て繰り返し行われる。図２の投射面３００には、撮像部２００で取得されたスルー画像からのリアルタイムの拡大画像が投射される。また、前述のように、プロジェクタモジュール６の投影レンズは、顔Ｆの拡大画像を、撮像部２００が撮像する方向とは異なる方向に拡大投射する。したがって、笑顔の度合いが所定値以下である（所定の状態でない）と判断され、顔Ｆの拡大画像を投射された被写体Ｍは、リアルタイムで拡大表示される顔Ｆの画像を見ながら表情を正すことができる。
【００６９】
被写体Ｍが投射画像を見ながら表情を正し、ＣＰＵ１０１の判断部によって複数の被写体Ｍの全ての顔Ｆが笑顔（所定の状態）であると検出されたタイミングにおける、ＣＰＵ１０１及び撮像部２００の動作は実施形態１と同様であり、その結果得られる効果も同様である。
【００７０】
このように、本実施形態によれば、被写体Ｍが観察できる方向に、所定の表情でないと判断された被写体Ｍの顔Ｆの画像が拡大投射されるので、所定の表情でない被写体Ｍに対して注意を喚起することができる。本実施形態では、複数の被写体Ｍが、被写体Ｍが表示された拡大画像を見ながら同時に表情を正すことができるとともに、顔欠け、横向きに対しても、拡大画像を投射するので、複数の被写体Ｍが短時間に表情と顔Ｆの配置や向きをそろえることができる。その結果、複数の被写体Ｍの全員が表情と顔Ｆの配置と向きをそろえた画像を撮影することができる。
【符号の説明】
【００７１】
６：プロジェクタモジュール（プロジェクタ）、５０：カメラ（電子機器）、１０１：ＣＰＵ、２００：撮像部（撮像手段）、３００：投射面、Ｆ：顔、Ｍ：被写体。
【図１】
2012039343.tif 000003
【図２】
2012039343.tif 000004
【図３】
2012039343.tif 000005
【図４】
2012039343.tif 000006